(57)【要約】【課題】携帯端末で映像視聴する際、突然の電源断や電波断といった携帯端末独特の問題のため、視聴中断を余儀なくされることに対する対策が必要であった。【解決手段】本発明は、無線通信により受信した映像番組の中断を推定する中断検知手段３０８と、映像番組の中断が推定された場合に、映像番組を再開するための中断情報を中断情報保存手段３０９に記録する中断情報処理手段３０７と、中断情報を用いて映像番組の再開を要求する再開要求信号を送信する再開要求信号送信手段３１３とを含む映像表示装置とする。【選択図】図２
2005260541.tif 000002
【特許請求の範囲】
【請求項１】
無線通信により受信した映像番組の中断を推定する中断検知手段と、前記映像番組の中断が推定された場合に、前記映像番組を再開するための中断情報を中断情報保存手段に記録する中断情報処理手段と、前記中断情報を用いて前記映像番組の再開を要求する再開要求信号を送信する送信手段とを含む映像表示装置。
【請求項２】
中断検知手段は、予め定めた時間間隔で映像番組の中断を推定するものである請求項１記載の映像表示装置。
【請求項３】
ユーザの停止操作を入力するユーザ操作入力手段をさらに含み、中断検知手段は、前記ユーザ操作入力を用いて映像番組の中断を推定するものである請求項１記載の映像表示装置。
【請求項４】
再開要求信号は、再開する映像番組を出力する映像表示装置の情報をさらに含む信号である請求項１ないし３のいずれか記載の映像表示装置。
【請求項５】
中断情報は、映像番組のコンテンツ情報、ユーザ情報、端末情報、映像番組中断までの視聴時間の少なくとも１つを含む請求項１ないし４のいずれか記載の映像表示装置。
【請求項６】
コンテンツ情報は、映像番組を配信する配信サーバの情報、映像番組のコンテンツＩＤ、映像番組名、解像度、前記配信サーバへの接続ＩＤ、前記配信サーバへのパスワード、スクランブル解除に用いる暗号鍵の少なくとも１つを含む請求項５記載の映像表示装置。
【請求項７】
無線通信により受信した映像番組の中断を推定する第１のステップと、前記映像番組の中断が推定された場合に、前記映像番組を再開するための中断情報を中断情報保存手段に記録する第２のステップと、前記中断情報を用いて前記映像番組の再開を要求する再開要求信号を送信する第３のステップとを含む映像表示方法。
【請求項８】
第１のステップは、予め定めた時間間隔で映像番組の中断を推定するものである請求項７記載の映像表示方法。
【請求項９】
第１のステップは、ユーザの停止操作を入力するステップをさらに含み、前記ユーザ操作入力を用いて映像番組の中断を推定するものである請求項７記載の映像表示方法。
【発明の詳細な説明】
【技術分野】
【０００１】
本発明は、映像番組を蓄積する領域を持たない映像表示装置等において、無線通信により受信した映像番組の視聴等が可能な映像表示装置に関する。
【背景技術】
【０００２】
近年、携帯電話をはじめとする携帯情報端末はますます高機能化しており、地上波放送やＶＯＤ（ビデオ・オン・デマンド）番組といった映像視聴のニーズも高まっている。しかし、携帯端末で映像視聴する際、突然の電源断や電波断といった携帯端末独特の問題のため、視聴中断を余儀なくされることに対する対策が必要であった。
【０００３】
従来、一時中断した場合の復旧手段として、電波が届かない場所に移動した際に、ＰＨＳで録画命令を自宅据え置きの周辺装置に対して送信する携帯型視聴端末装置がある（特許文献１参照）。
【０００４】
また、映像に限らず、一時中断の復旧手段として、インターネットでデータの伝送をつかさどるプロトコルであるＴＣＰ（Ｔｒａｎｓｍｉｓｓｉｏｎ  Ｃｏｎｔｒｏｌ  Ｐｒｏｔｏｃｏｌ）がある（非特許文献１参照）。
【特許文献１】特開２００３−１１０９５５号公報（第７項、第３図）
【非特許文献１】ＩＥＴＦ  ＲＦＣ７９３
【発明の開示】
【発明が解決しようとする課題】
【０００５】
しかしながら、前者の方法は、必ずしも録画する必要のないＶＯＤ番組には不向きである。また、録画許可されていないＶＯＤの視聴中断、再開に対応できないという問題点もある。さらに、突然電波の入りにくい場所へ移動した場合、録画命令を送信するタイミングが遅れ、見たかった部分を見逃してしまう場合があるほか、電波状況が悪く、録画命令も送信できない可能性もある。
【０００６】
また、後者の方法は、短時間の電波断には対応できるが、電源断やユーザ操作による視聴中断には対応できないという問題があった。
【０００７】
これらの問題点を踏まえ、本発明は、映像表示装置によるＶＯＤの視聴中、突然の電源断、電波断、着呼、ユーザによる停止指示等、視聴を中断されてしまった場合に、回復後、中断シーンから視聴を再開できない問題を解決するものである。
【０００８】
また、映像視聴を一時中断し、別の映像表示装置で中断シーンから視聴を継続することができない問題を解決するものである。
【課題を解決するための手段】
【０００９】
これらの課題を解決するために、本発明は、無線通信により受信した映像番組の中断を推定する中断検知手段と、前記映像番組の中断が推定された場合に、前記映像番組を再開するための中断情報を中断情報保存手段に記録する中断情報処理手段と、前記中断情報を用いて前記映像番組の再開を要求する再開要求信号を送信する送信手段とを含む映像表示装置とする。
【発明の効果】
【００１０】
本発明により、視聴者は配信型コンテンツの視聴中に突然の視聴中断が起こっても、再
視聴時の面倒な中断シーンの頭だしや課金・認証作業の手間から開放されるようになる。また、中断シーンの頭だしや課金・認証作業の手間をかけることなく自由なモニタ切り替えを行うことができるようになる。
【発明を実施するための最良の形態】
【００１１】
本発明の第１の発明は、無線通信により受信した映像番組の中断を推定する中断検知手段と、前記映像番組の中断が推定された場合に、前記映像番組を再開するための中断情報を中断情報保存手段に記録する中断情報処理手段と、前記中断情報を用いて前記映像番組の再開を要求する再開要求信号を送信する送信手段とを含む映像表示装置とするものであり、視聴中断・再開時に中断シーンの頭だしや課金・認証作業の手間をかけることなく容易に視聴再開・映像表示装置の変更を可能にするという作用を有する。
【００１２】
本発明の第２の発明は、中断検知手段は、予め定めた時間間隔で映像番組の中断を推定するものである請求項１記載の映像表示装置とするものであり、視聴中断、特に電源断といった不意の視聴中断でも容易に視聴再開を可能にするという作用を有する。
【００１３】
本発明の第３の発明は、ユーザの停止操作を入力するユーザ操作入力手段をさらに含み、中断検知手段は、前記ユーザ操作入力を用いて映像番組の中断を推定するものである請求項１記載の映像表示装置とするものであり、ユーザ操作による視聴中断でも容易に視聴再開を可能にするという作用を有する。
【００１４】
本発明の第４の発明は、再開要求信号は、再開する映像番組を出力する映像表示装置の情報をさらに含む信号である請求項１ないし３のいずれか記載の映像表示装置とするものであり、視聴再開を映像表示装置の解像度、色数、物理的な位置、インターネット上の位置といった特性に合わせて視聴再開可能にするという作用を有する。
【００１５】
本発明の第５の発明は、中断情報は、映像番組のコンテンツ情報、ユーザ情報、端末情報、映像番組中断までの視聴時間の少なくとも１つを含む請求項１ないし４のいずれか記載の映像表示装置とするものであり、視聴中断・再開時に、コンテンツ選択、シーンの頭だし、課金・認証作業の手間をかけることなく容易に視聴再開を可能にするという作用を有する。
【００１６】
本発明の第６の発明は、コンテンツ情報は、映像番組を配信する配信サーバの情報、映像番組のコンテンツＩＤ、映像番組名、解像度、前記配信サーバへの接続ＩＤ、前記配信サーバへのパスワード、スクランブル解除に用いる暗号鍵の少なくとも１つを含む請求項５記載の映像表示装置とするものであり、視聴再開するコンテンツを特定するためと、課金・認証作業の手間を省くという作用を有する。
【００１７】
本発明の第７の発明は、無線通信により受信した映像番組の中断を推定する第１のステップと、前記映像番組が中断した場合に、前記映像番組を再開するための中断情報を中断情報保存手段に記録する第２のステップと、前記中断情報を用いて前記映像番組の再開を要求する再開要求信号を送信する第３のステップとを含む映像表示方法とするものであり、視聴中断・再開時に中断シーンの頭だしや課金・認証作業の手間をかけることなく容易に視聴再開・別の映像表示装置への変更を可能にするという作用を有する。
【００１８】
本発明の第８の発明は、第１のステップは、予め定めた時間間隔で映像番組の中断を推定するものである請求項７記載の映像表示方法とするものであり、視聴中断、特に電源断といった不意の視聴中断でも容易に視聴再開を可能にするという作用を有する。
【００１９】
本発明の第９の発明は、第１のステップは、ユーザの停止操作を入力するステップをさ
らに含み、前記ユーザ操作入力を用いて映像番組の中断を推定するものである請求項７記載の映像表示方法とするものであり、ユーザ操作による視聴中断でも容易に視聴再開を可能にするという作用を有する。
【００２０】
以下、実施の形態について図面を用いて説明する。
【００２１】
（実施の形態１）
図１は、本発明の映像表示装置を含むシステム全体の構成図である。図１に示すように、映像表示装置２、管理サーバ１、配信サーバ４がインターネット３を介して接続されている。
【００２２】
ここで、管理サーバ１は、映像表示装置２がコンテンツ視聴を開始する際に、コンテンツのＩＤ、配信サーバ４の所在、配信サーバ４に接続する際のパスワード等を含むコンテンツ情報を取得するためのサーバである。
【００２３】
コンテンツ情報は、映像番組のコンテンツＩＤ、映像番組名、解像度、前記配信サーバ４への接続ＩＤ、前記配信サーバ４へのパスワード、スクランブル解除に用いる暗号鍵のうち少なくともいずれか１つを含む。また、配信サーバ４は、映像番組の配信を要求してきた映像表示装置２に対して映像番組の配信を行うサーバであるが、管理サーバ１から取得したパスワードやユーザ・端末情報等を用いて課金・認証する機能を有することもできる。
【００２４】
ここで、管理サーバ１と配信サーバ４は便宜上区別しているが、物理的に同一でもよく、必ずしも明確に分離されている必要はない。
【００２５】
図２は映像表示装置２内部の構成図である。コンテンツ情報受信手段３０１は、管理サーバ１から送信されるコンテンツ情報を受信する部位である。視聴時間計算手段３０３は、クロック３０２からの定期的な更新通知によって、視聴開始時からの視聴時間を定期的に計算する部位である。映像番組受信手段３０４は、視聴開始要求信号を受けた配信サーバ４から送信される映像番組を受信する部位である。
【００２６】
状態監視センサ３０５は、電波断、着呼、ユーザ６の指示、受信異常、デコード異常、バッテリ残量減少などを監視する部位である。ユーザ操作入力手段３０６は、ユーザ６による映像視聴停止操作を中断検知手段３０８に通知する部位である。中断情報処理手段３０７は、中断情報が入力された場合に、視聴時間、コンテンツ情報及びユーザ・端末情報を用いて、映像番組の中断箇所を特定するための中断情報を出力する部位である。
【００２７】
中断検知手段３０８は、状態監視センサ３０５から信号が入力され、異常が発生した場合や、ユーザ操作入力手段３０６より通知を受けた場合などに、中断情報処理手段３０７に中断を通知する部位である。中断情報保存手段３０９は、中断情報処理手段３０７から出力された中断情報を保存する部位である。ユーザ・端末情報記憶手段３１０は、中断情報処理手段３０７から要求で、映像表示装置２内部にあらかじめ記憶してあるユーザ・端末情報を提供する部位である。
【００２８】
表示手段３１１は、映像番組受信手段３０４が受信した映像番組を表示する部位である。コンテンツ情報作成手段３１２は、管理サーバ１に接続した際に取得したコンテンツ情報を記憶しておき、中断情報処理手段３０７からの要求でコンテンツ情報を提供する部位である。再開要求信号送信手段３１３は、中断情報を元に生成された再開要求信号を送信する部位である。コンテンツ情報送信手段３１４は、コンテンツ情報作成手段３１２に記憶されたコンテンツ情報を管理サーバ１に送信する部位である。視聴開始要求送信手段３
１５は、コンテンツ情報作成手段３１２に記憶されたコンテンツ情報を配信サーバ４に送信する部位である。
【００２９】
図３は、映像番組の表示から映像番組の中断までの連携手順を示したシーケンス図である。
【００３０】
まず、ユーザ６が、ユーザ操作入力手段３０６から視聴したいコンテンツを選択し、決定ボタンを押すなどして視聴開始を指示すると、コンテンツ情報作成手段３１２は、入力されたユーザ操作から作成したコンテンツ情報要求信号を、コンテンツ情報送信手段３１４にから管理サーバ１に送信し、コンテンツ情報の要求・取得を行う。
【００３１】
次に、映像表示装置２に送信されたコンテンツ情報は、コンテンツ情報受信手段３０１が受信し、コンテンツ情報作成手段３１２に入力する。コンテンツ情報作成手段３１２は、コンテンツ情報、ユーザ・端末情報をもとに視聴開始要求信号を生成し、視聴開始要求送信手段３１５を介して配信サーバ４に送信する。
【００３２】
次に、視聴開始要求信号を受信した配信サーバ４は認証を行い、成功した場合は映像番組を映像表示装置２に配信する。必要なら課金処理も開始する。次に、映像番組受信手段３０４が、映像番組を受信し、表示手段３１１が、受信した映像番組をデコードして映像を表示すると同時に、視聴時間計算手段３０３が、視聴時間の計算を開始する。
【００３３】
次に、中断検知手段３０８が、状態監視センサ３０５から入力されセンサ情報から電波断、着呼、ユーザ６の指示、受信異常、デコード異常、バッテリ残量減少等の理由で視聴が中断されると判断すると、映像中断推定信号を中断情報処理手段３０７に出力する。次に、中断情報処理手段３０７は、映像中断推定信号が入力されると、自動的に視聴時間、コンテンツ情報、ユーザ・端末情報を中断情報保存手段３０９に保存する。
【００３４】
次に、中断した映像の再開要求を送信するまでの動作手順を図４のフローチャートを用いて説明する。
【００３５】
はじめに、クロック３０２は、視聴時間計算手段３０３に対し、定期的に更新通知を送る。更新通知を受けた視聴時間計算手段３０３は、視聴時間を計算・更新し、記憶しておく。
【００３６】
中断検知手段３０８が、電波断、着呼、受信異常、デコード異常、バッテリ残量減少もしくはユーザ操作入力手段３０６からのユーザ６の指示によって視聴中断を推定すると、中断情報処理手段３０７に対して中断を通知し（Ｓ４０１）、視聴中断が推定されない場合は、Ｓ４０１に移行する。通知を受けた中断情報処理手段３０７は、視聴時間計算手段３０３から視聴時間を、コンテンツ情報作成手段３１２からコンテンツ情報を、ユーザ・端末情報記憶手段３１０からユーザ・端末情報を取得し（Ｓ４０２）、中断情報として中断情報保存手段３０９に出力する（Ｓ４０３）。その後、再開要求送信手段が、ユーザ６が視聴再開を指示した場合に、中断情報保存手段３０９に保存されている中断情報から再開要求信号を生成し、配信サーバ４に向けて送信する（Ｓ４０４）。
【００３７】
なお、突然の電源断に備え、定期的に上記動作を行えるようになっていてもよい。この場合の構成図は図５のようになる。図５では、中断検知手段３０８の代わりにクロック３０２を中断情報処理手段３０７にも出力し、クロック３０２のタイミングで視聴時間の計算、中断情報の保存を行っている。また、クロック３０２の代わりに映像パケットを受け取ったときのタイミングをトリガにしてもよい。
【００３８】
次に、クロック３０２のタイミングで中断情報を保存する手順について、図６のフローチャートを交えて説明する。
【００３９】
はじめに、クロック３０２は、視聴時間計算手段３０３と中断情報処理部に対し、定期的に更新通知を送る（Ｓ６０１）。更新通知を受けた視聴時間計算手段３０３は、視聴時間を更新し、記憶しておく（Ｓ６０２）。
【００４０】
次に、中断情報処理手段３０７は、更新通知をトリガとして、視聴時間計算手段３０３から視聴時間を、コンテンツ情報作成手段３１２からコンテンツ情報を、ユーザ・端末情報記憶手段３１０からユーザ・端末情報を取得し（Ｓ６０３）、中断情報保存手段３０９が、中断情報を保存する（Ｓ６０４）。その後、再開要求送信手段が、ユーザ６が視聴再開を指示した場合に、中断情報から再開要求信号を生成して、配信サーバ４に向けて送信する（Ｓ６０５）。
【００４１】
以上の手順によって、映像表示装置２は視聴中断時に、自動的に中断情報を端末内に記憶することができるようになる。
【００４２】
次に、図７は、中断シーンから視聴を再開する場合を、図７シーケンス図を用いて説明する。
【００４３】
はじめに、ユーザ６が視聴開始をユーザ操作入力手段３０６に入力する。次に、再開要求信号送信手段３１３が、中断情報保存手段３０９に保存された中断情報を元に作成された再開要求信号を作成し、配信サーバ４へ送信する。次に、配信サーバ４は受信した再開要求信号の中から、コンテンツ情報、ユーザ・端末情報を元に該当コンテンツを検索し、認証を行う。また、再開要求信号内の視聴時間から映像番組のどの位置から配信するか決定し、映像表示装置２に対して中断した時点からの映像番組を配信する。
【００４４】
次に、映像番組受信手段３０４が、中断した時点からの映像番組を受信し、表示手段３１１は、映像番組をデコードして映像を表示すると同時に、視聴時間計算手段３０３が、視聴時間の計算を再開する。
【００４５】
また、図８は、映像表示装置２とは異なる別の映像表示装置５で中断シーンから視聴を再開する場合のシーケンス図である。
【００４６】
はじめに、ユーザ６が、ユーザ操作入力手段３０６を介して、映像番組を表示する別の映像表示装置を指定する。次に、再開要求信号送信手段３１３は、保存された中断情報を元に、再開要求信号を、指定された別の映像表示装置に転送する。次に、別の映像表示装置５は、受信した再開要求信号の一部、またはすべてを配信サーバ４に転送する。この際、再開要求信号内の解像度情報・物理的な位置情報・インターネット３上の位置情報を別の映像表示装置５に合うよう変更してから送信してもよい。
【００４７】
次に、配信サーバ４は、受信した再開要求信号の中から、コンテンツ情報、ユーザ・端末情報を元に該当コンテンツを検索し、認証を行う。また、再開要求信号内の視聴時間から映像番組のどの位置から配信するか決定し、別の映像表示装置５に対して映像番組を配信する。映像番組を受信した別の映像表示装置５は、映像番組をデコードして映像を表示すると同時に、視聴時間の計算を開始する。
【００４８】
ここで、映像表示装置２が、再開要求信号を別の映像表示装置５に転送する際、映像表示装置２が別の映像表示装置５に視聴権を委譲したことを示す視聴権委譲証明をあらかじめ管理・配信サーバ４に送信することで、視聴装置が切り替わることで認証ができなかっ
たり、再課金が発生したりするといった問題を解決することも可能である。その場合、映像表示装置２が、映像視聴端末の秘密鍵、もしくは管理・配信サーバ４によって提供された公開鍵によって視聴権委譲証明を暗号化し、再開要求信号とともに別の映像表示装置に転送、別の映像表示装置が管理・配信サーバ４に送信するようになっていてもよい。
【００４９】
また、中断・再開に対応していない放送型コンテンツに関しても、放送を見逃してしまった人のためにコンテンツを蓄積しているサービスの配信サーバ４に再開要求信号を転送することで、視聴を再開できるようにすることも可能である。また、別の映像表示装置を録画装置に置き換え、録画装置に中断情報を転送することで、中断シーンから映像番組を記録しておくことも可能である。
【００５０】
以上の構成によって、ユーザ６はこの映像表示装置２を次のように利用することができる。
【００５１】
ユーザ６が映像表示装置２を用いてＶＯＤ番組を視聴中に地下街等の通信電波の届かない場所に侵入すると、通信データが途絶え、映像が写らなくなってしまう。しかし、中断検知手段３０８が受信異常を検知し、ユーザに意識させることなく中断情報処理手段３０７が自動的に中断情報を記憶領域に保存する。ユーザが地下街から抜け出し、先ほど視聴していたＶＯＤ番組を視聴が中断したシーンから再開したいと考えた場合、映像視聴アプリケーションを立ち上げて再開を指示すると、視聴端末が中断情報を元に生成した再開要求信号を配信サーバ４に送信することで、シーンの頭だし、認証作業といったわずらわしい作業をせずに視聴を再開できる。
【産業上の利用可能性】
【００５２】
本発明の映像表示装置は、ＶＯＤ番組視聴機能を有する携帯型テレビ、多機能携帯電話等にとって有用である。
【図面の簡単な説明】
【００５３】
【図１】本発明第１の実施の形態による映像表示装置を含む映像配信システムの構成を示す図
【図２】本発明第１の実施の形態による映像表示装置の構成を示す図
【図３】本発明第１の実施の形態による映像配信システムの動作手順を示したシーケンス図
【図４】本発明第１の実施の形態による映像表示装置の動作を示すフローチャート
【図５】本発明第１の実施の形態による映像表示装置の構成を示す図
【図６】本発明第１の実施の形態による映像表示装置の動作を示すフローチャート
【図７】本発明第１の実施の形態による映像配信システムの動作手順を示したシーケンス図
【図８】本発明第１の実施の形態による映像配信システムの動作手順を示したシーケンス図
【符号の説明】
【００５４】
１  管理サーバ
２  映像表示装置
３  インターネット
４  配信サーバ
６  ユーザ
３０１  コンテンツ情報受信手段
３０２  クロック
３０３  視聴時間計算手段
３０４  映像番組受信手段
３０５  状態監視センサ
３０６  ユーザ操作入力手段
３０７  中断情報処理手段
３０８  中断検知手段
３０９  中断情報保存手段
３１０  ユーザ・端末情報記憶手段
３１１  表示手段
３１２  コンテンツ情報作成手段
３１３  再開要求信号送信手段
３１４  コンテンツ情報送信手段
３１５  視聴開始要求送信手段
【図１】
2005260541.tif 000003
【図２】
2005260541.tif 000004
【図３】
2005260541.tif 000005
【図４】
2005260541.tif 000006
【図５】
2005260541.tif 000007
【図６】
2005260541.tif 000008
【図７】
2005260541.tif 000009
【図８】
2005260541.tif 000010